(57)【要約】【課題】  マガジンを容易に装着可能な画像記録材料供給装置、及びマガジンを低コストで提供する。【解決手段】  供給部１１は、装着状態にあるマガジン２０と結合する結合部２７，２８が設けられた供給部本体２９と、結合部２７，２８側が低くなるように水平面に対して所定角度θ１傾斜され、マガジン２０が載置されるマガジン台２６とを備えている。また、マガジン台２６には、回転中心がマガジン台２６の幅方向と略平行になるように回転自在に軸支されたローラ３６が複数設けられており、その外周面の一部が上面３０から露出されている。マガジン２０がマガジン台２６の先端側に載置されると、その自重により結合部２７，２８に向かってスライド移動して、結合部２７，２８と結合して装着される。【選択図】        図２
2005148397.tif 000002
【特許請求の範囲】
【請求項１】
画像記録材料を収納するマガジンを着脱自在に保持し、前記マガジンから前記画像記録材料を引き出して画像記録装置へ供給する画像記録材料供給装置において、
装着状態にある前記マガジンと結合する結合部と、前記結合部側が低くなるように、水平面に対して第１の角度で傾斜されたマガジン台とを備え、前記マガジン台に載置された前記マガジンは、その自重により前記結合部へ向けてスライド移動することを特徴とする画像記録材料供給装置。
【請求項２】
回転中心が前記マガジン台の幅方向と略平行になるように回転自在に軸支され、前記マガジン台の上面から外周面の少なくとも一部が露出されるように配置されたローラを備え、前記マガジンのスライド移動を補助することを特徴とする請求項１記載の画像記録材料供給装置。
【請求項３】
前記マガジン台には、前記マガジンの幅方向への移動を規制し、スライド移動する前記マガジンを前記結合部にガイドするガイド部材を備えていることを特徴とする請求項１または２記載の画像記録材料供給装置。
【請求項４】
前記第１の角度を調節する角度調節手段を備え、前記マガジンによる前記結合部への押圧力が略一定となるように、前記マガジンの重量に基づいて前記第１の角度が調節されることを特徴とする請求項１ないし３のいずれか記載の画像記録材料供給装置。
【請求項５】
前記マガジンが前記結合部に結合された時に、前記マガジンの移動を規制してロックするロック機構を備えていることを特徴とする請求項１ないし４のいずれか記載の画像記録材料供給装置。
【請求項６】
請求項１ないし５のいずれか１項に記載の画像記録材料供給装置に着脱自在に保持され、前記画像記録材料を収納する本体部を備えたマガジンにおいて、
前記本体部は、前記マガジン台と当接する当接面と、前記装着状態にあるときに前記結合部と当接する装着面とを備え、前記当接面の垂線は前記装着面に対して第２の角度で傾斜していることを特徴とするマガジン。
【請求項７】
前記第２の角度は、前記第１の角度と略等しいことを特徴とする請求項６記載のマガジン。
【請求項８】
前記本体部は、前記当接面と対向する上面に前記マガジンを把持するための把持部を備え、前記把持部は、前記マガジンの重心を通って前記当接面と直交する垂線と、前記上面との交点よりも、前記装着面と反対方向に所定長ずらした位置に配置されていることを特徴とする請求項６または７記載のマガジン。
【発明の詳細な説明】
【技術分野】
【０００１】
本発明は、画像記録装置に画像記録材料を供給する画像記録材料供給装置、及び画像記録材料を収納し、画像記録材料供給装置に着脱自在に装着されるマガジンに関する。
【背景技術】
【０００２】
写真現像所では、プリンタプロセッサなどの写真プリンタが使用されている。このようなプリンタプロセッサでは、画像記録材料である印画紙が収納されたマガジンが着脱自在に装着される。プリンタプロセッサは、マガジンから引き出された印画紙に画像を焼き付け、現像処理、乾燥処理等の処理を施すことにより画像記録を行っている。このようなマガジンをプリンタプロセッサに装着する方法として、マガジン台の所定位置にマガジンを置いて、マガジン台をスライド移動させて結合部にマガジンを装着する方法が知られている（例えば、特許文献１参照）させる。
【０００３】
しかし、マガジン台をスライド移動させてマガジンを装着する場合、遮光性、感光材料のカット精度の維持、駆動伝達等の要件を満足するために、所定の圧力でマガジンを結合部に押し付ける必要がある。このため、スプリング、アームレバー等の押し付け力を発生させる押圧機構が必要であり、マガジン台を移動させてマガジンを結合部内に押し込み、押圧機構によりマガジンを押圧して装着を行う方法（例えば、特許文献２参照）が知られている。
【０００４】
【特許文献１】特開平４−３３５６２７号公報
【特許文献２】特開平７−１１４１１０号公報
【発明の開示】
【発明が解決しようとする課題】
【０００５】
しかしながら、上記特許文献１及び２に記載のプリンタプロセッサでは、マガジンをスライド移動させる機構や、スプリング、アームレバー等の押し付け力を発生させる押圧機構が必要であり、構造が複雑化して製造コストが高くなるという問題があった。また、マガジンをマガジン台にセットする際に、所定位置に位置決めする作業が必要であり手間が掛る。さらに、マガジンは収納する画像記録材料のサイズによって重量が異なり、重いものは１０ｋｇ以上もあるので、位置決め作業はオペレータに対して負担を強いるという問題があった。
【０００６】
本発明は上記事情に鑑みてなされたものであり、マガジンを容易に装着可能な画像記録材料供給装置、及びマガジンを低コストで提供することを目的とする。
【課題を解決するための手段】
【０００７】
上記課題を解決するために、本発明の画像記録材料供給装置は、画像記録材料を収納するマガジンを着脱自在に保持し、前記マガジンから前記画像記録材料を引き出して画像記録装置へ供給する画像記録材料供給装置であり、装着状態にある前記マガジンと結合する結合部と、前記結合部側が低くなるように、水平面に対して第１の角度で傾斜されたマガジン台とを備え、前記マガジン台に載置された前記マガジンは、その自重により前記結合部へ向けてスライド移動することを特徴とするものである。
【０００８】
また、回転中心が前記マガジン台の幅方向と略平行になるように回転自在に軸支され、前記マガジン台の上面から外周面の少なくとも一部が露出されるように配置されたローラを備え、前記マガジンのスライド移動を補助することが好ましい。
【０００９】
さらに、前記マガジン台には、前記マガジンの幅方向への移動を規制し、スライド移動する前記マガジンを前記結合部にガイドするガイド部材を備えていることが好ましい。
【００１０】
また、前記第１の角度を調節する角度調節手段を備え、前記マガジンによる前記結合部への押圧力が略一定となるように、前記マガジンの重量に基づいて前記第１の角度が調節されることが好ましい。
【００１１】
さらに、前記マガジンが前記結合部に結合された時に、前記マガジンの移動を規制してロックするロック機構を備えていることが好ましい。
【００１２】
上記課題を解決するために、本発明のマガジンは、前記画像記録材料供給装置に着脱自在に保持され、前記画像記録材料を収納する本体部を備えたマガジンであり、前記本体部は、前記マガジン台と当接する当接面と、前記装着状態にあるときに前記結合部と当接する装着面とを備え、前記当接面の垂線は前記装着面に対して第２の角度で傾斜していることを特徴とするものである。また、前記第２の角度は、前記第１の角度と略等しいことが好ましい。
【００１３】
また、前記本体部は、前記当接面と対向する上面に前記マガジンを把持するための把持部を備え、前記把持部は、前記マガジンの重心を通って前記当接面と直交する垂線と、前記上面との交点よりも、前記装着面と反対方向に所定長ずらした位置に配置されていることが好ましい。
【発明の効果】
【００１４】
本発明の画像記録材料供給装置によれば、装着状態にあるマガジンと結合する結合部と、結合部側が低くなるように、水平面に対して傾斜されたマガジン台とを備えているので、オペレータが、マガジン台の先端部にマガジンを載置すれば、マガジンが自重で結合部に向かってスライド移動して、マガジンが結合部に入り込んで装着される。このため、装着作業が容易である。また、スライドレール、移動台、アームレバー等の機構が不要となり、製造コストを低減することができる。また、マガジンのスライド移動を補助するためのローラをマガジン台に設けたので、マガジンがスムースにスライド移動させることができる。
【００１５】
また、マガジン台には、マガジンの幅方向への移動を規制し、スライド移動するマガジンを前記結合部にガイドするガイド部材が設けられているので、マガジン台の先端にマガジンを載置するだけでマガジンを装着可能である。このため、マガジンをマガジン台に載置する時に、位置決め作業をせずに済むので作業を簡略化できる。さらに、前記マガジン台の傾斜角度を調節する角度調節手段を備えているので、マガジン台の傾斜角度を調節して、前記マガジンが結合部に装着される際の圧力を略一定にできる。このため、画像記録材料のサイズによって重量の異なる複数種類のマガジンを確実に装着可能である。
【００１６】
また、本発明のマガジンによれば、マガジン台にマガジンを載置した時に、装着面が結合部と略平行になるので、マガジンを結合部に確実に装着することができる。また、把持部を持ってマガジンを上方に持ち上げた時に、本体部の当接面がマガジン台と同じ方向に傾くので、マガジンをマガジン台に載置する際に、そのまま下方に下ろすだけで載置できるので作業を簡略化できる。
【発明を実施するための最良の形態】
【００１７】
図１は、画像記録装置であるプリンタプロセッサの側面概略図である。プリンタプロセッサ１０は、画像記録材料として感光材料である印画紙２１を用いる。このプリンタプロセッサ１０は、印画紙２１を供給する画像記録材料供給装置である供給部１１と、印画紙２１に露光を行う露光部１２と、露光済みの印画紙２１に現像処理を施す現像処理部１３と、現像処理後に印画紙２１の乾燥を行う乾燥部１４と、記録済みの印画紙２１が集積される集積部１５と、プリンタプロセッサ１０全体の制御を行うシステムコントローラ１６とから構成されている。また、システムコントローラ１６には、オペレータによって操作されるキー入力部１７、各種設定画面等を表示するディスプレイ１８、スピーカ等で構成され、音声を出力してオペレータに警告を行う警報器１９が接続されている。システムコントローラ１６は、キー入力部１７を介してオペレータからの指令を取得して、この指令に基づいて各部１１〜１５の制御を行って、印画紙２１に各種処理を施して画像を記録する。
【００１８】
供給部１１には、マガジン２０が着脱自在に装着される。このマガジン２０には、長尺の印画紙２１がロール状に巻かれた状態で回転自在に収納されている。供給部１１は、マガジン２０から印画紙２１を引き出してプリンタプロセッサ１０内に供給する。この際、供給部１１は、カッタ２２により、印画紙２１をプリントサイズに基づいて所定長に切断して、シート状の印画紙２１を供給する。
【００１９】
その後、供給部１１から供給されたシート状の印画紙２１が、搬送ローラ対２３によって、図中２点鎖線で示す搬送路２４に送出される。この搬送路２４は、ガイド板（図示せず）により構成されており、搬送ローラ対２３，２５により搬送される印画紙２１を各部１２〜１５にガイドする。露光部１２は、図示しないフイルムスキャナで写真フイルムの画像を光電的に読取ることで得た画像データ、あるいは外部記憶手段としてのメモリカードから読み出された画像データに基づいて、印画紙２１に対して走査露光を行って画像を潜像で記録する。露光済みの印画紙２１は、現像処理部１３にて発色、現像、漂白定着、及び水洗処理を施され、乾燥部１４によって乾燥される。乾燥後の印画紙２１は、集積部１５に搬送されてプリント注文毎に仕分けられて排紙される。
【００２０】
なお、図示しないが、現像処理部１３、及び乾燥部１４内にも搬送ローラ対が複数設けられており、搬送路２４に沿って印画紙２１の搬送を行う。また、露光部１２は、画像データに基づいて、印画紙２１に対して走査露光を行う方式に限らず、写真フイルムの透過光を印画紙２１に直接焼き付ける直接露光方式でも良い。
【００２１】
図２に示すように、供給部１１は、プリンタプロセッサ１０の側面に設けられた供給部本体２９と、この供給部本体２９に取り付けられ、マガジン２０が載置されるマガジン台２６とを備えている。また、供給部本体２９には、マガジン２０が装着される２つの結合部２７，２８が設けられている。
【００２２】
マガジン台２６は、供給部本体２９側（結合部２７，２８側）が低くなるように傾斜させて供給部本体２９に取り付けられており、マガジン台２６の上面３０が水平面に対して所定角度（第１の角度）θ１傾斜されている。また、このマガジン台２６は、供給部本体２９に回転自在に軸支されている。さらに、供給部本体２９の側面には、マガジン台２６の傾斜角度を調節する角度調節手段である角度調節部材３１が設けられている。この角度調節部材３１を回転操作することにより、上面３０の傾斜角度である所定角度θ１を５〜３０度の範囲内で調節することが可能である。
【００２３】
また、上面３０には、マガジン２０の幅方向への移動を規制し、スライド移動するマガジン２０を結合部２７，２８へガイドする本のガイド部材３２，３３，３４が設けられている。これらのガイド部材３２，３３，３４は、マガジン台２６の先端側が狭く、後端側（結合部２７，２８側）に向かって幅が広くなるクサビ形状にされている。ガイド部材３２，３４は、マガジン台２６の両側端部に設けられており、ガイド部材３３は上面３０を幅方向に略二等分する位置に配置されている。このため、マガジン台２６には、ガイド部材３２，３３と上面３０とで構成される通路３５ａと、ガイド部材３３，３４と上面３０とで構成される通路３５ｂとが形成されている。さらに、３本のガイド部材３２，３３，３４は、前述したように、マガジン台２６の先端側が狭く、後端側（結合部２７，２８側）に向かって幅が広くなるクサビ形状にされているので、通路３５ａ，３５ｂは、マガジン台２６の先端側から後端側（結合部２７，２８側）に行くにしたがい幅が狭くなっており、結合部２７，２８付近ではマガジン２０の幅と略同じ幅になっている。
【００２４】
また、マガジン台２６には、回転中心が通路３５ａ，３５ｂの幅方向に対して略平行になるように回転自在に軸支されたローラ３６が設けられている。これらのローラ３６は、通路３５ａ，３５ｂ内に複数行、複数列配置されており、ローラ３６の外周面の一部が上面３０に形成された開口から露出されている。このため、マガジン２０が、マガジン台２６に載置された時に、この複数のローラ３６が回転することによって、摩擦抵抗が軽減されるので結合部２７，２８側に向かってスムースにスライド移動する。
【００２５】
さらに、ガイド部材３２，３３，３４の側面にも、ローラ３６が複数設けられており、回転中心が上面３０に対して略垂直になるように回転自在に軸支されている。これらのローラ３６も、外周面の一部が通路３５ａ，３５ｂ側の側面に形成された開口から露出されている。このため、マガジン２０の側面がガイド部材３２，３３，３４の側面に当接した場合でも、これらのローラ３６が回転することにより、通路３５ａ，３５ｂの下方（結合部２７，２８側）に向かってマガジン２０をスムースにガイドすることができる。
【００２６】
図３に示すように、マガジン２０は、本体部であるマガジンケース５０と、このマガジンケース５０内に収納され、ロール状に巻かれた印画紙ロール２１とで構成されている。マガジンケース５０の下面を構成し、マガジン台２６の上面３０と当接する当接面５１は、略平面で形成されている。また、マガジン２０が、結合部２７，２８に当接する際に結合部２７，２８の前面と対面する装着面５２は、鉛直方向（当接面の垂線）よりも後方側に所定角度（第２の角度）θ２傾斜されている。
【００２７】
また、マガジンケース５０の上面５３には、マガジン２０を運搬する際に、オペレータによって把持される把持部５４が設けられている。この把持部５４は、円柱を半円状に湾曲させた形状にされ、その両端が上面５３に固定されている。この把持部５４は、マガジン２０の重心ＣＧを通って当接面５１と直交する垂線ＶＬと、上面５３とが交叉する交点ＣＰに対して、装着面５２と反対方向に所定長Ｄ１ずらして設けられている。
【００２８】
このため、図３（Ａ）に示すように、マガジン２０が水平面に置かれた状態から、図３（Ｂ）に示すように、把持部５４を把持してマガジン２０を上方に持ち上げた時に、重心ＣＧと把持部５４が鉛直線上に並ぶようにマガジン２０が所定角度θ２傾き、装着面５２が結合部２７，２８の前面と略平行となる。このため、当接面５１が、マガジン台２６の上面３０と略平行となる。マガジン２０が傾く角度（所定角度θ２）は、前述の所定長Ｄ１の長さを変更することにより変更可能であり、マガジン台２６の上面３０の傾斜角度である所定角度θ１と略一致するように設計される。また、装着面５２の傾斜角度は、マガジン２０が傾く角度（所定角度θ２）に設計される。
【００２９】
また、前述のように、把持部５４は円柱を半円状に湾曲された形状であるため、その半円の中心から円周に向かういずれの方向からでも持ち易いという特徴がある。このため、把持部５４を把持してマガジン２０を上方に持ち上げたときに、マガジン２０が傾いても把持性が悪化することはない。
【００３０】
さらに、結合部２７，２８の前面には、シャッタ（図示せず）が設けられており、マガジン２０が装填されていない場合は、シャッタが閉じられている。また、マガジン２０の装着面５２によりシャッタが押圧された場合は、シャッタが開放されてマガジン２０の前端部が結合部２７，２８に入り込む。
【００３１】
また、結合部２７，２８の各々には、マガジン２０の移動を規制してロックするロック機構３７が設けられている。このロック機構３７は、スライドピン３８と、このスライドピン３８をマガジン台２６の幅方向に移動させる移動機構３９とを備えている。さらに、結合部２７，２８の各々には、圧力を検出する圧力検出センサ４０が設けられている。また、ロック機構３７と圧力検出センサ４０は、システムコントローラ１６に接続されている。システムコントローラ１６は、圧力検出センサ４０から圧力値のデータを取得して、この圧力値が所定圧力以上の時に、ロック機構３７の移動機構３９を制御してスライドピン３８を連結部２７，２８に向かって移動させる。
【００３２】
マガジン２０の前端部が結合部２７，２８に入り込んで、圧力検出センサ４０が装着面５２によって、所定圧力以上の圧力で押圧された時に、前述したように、スライドピン３８が連結部２７，２８に向かって移動させる。この時、このスライドピン３８が、マガジンケース５０の側面に形成された開口２２に挿通されて、マガジン２０の移動が規制されて固定位置にロックされる。装着面５２が圧力検出センサ４０を押圧する圧力は、マガジン台２６の上面３０の傾斜角度θ１と、マガジン２０の重量によって決まる。マガジン２０の重量は、印画紙２１の幅サイズによって変化するので、マガジン台２６の上面３０の傾斜角度θ１を調節することにより、この圧力値が一定の範囲内に調節される。傾斜角度θ１の調節は、オペレータがマガジン２０の重量に基づいて、角度調節部材３１を操作することによって調節される。
【００３３】
なお、オペレータが、角度調節部材３１を操作して傾斜角度θ１の角度調節を手動で行うように説明したが、これに限るものではなく、傾斜角度θ１を自動調節可能にしても良い。例えば、オペレータが、マガジン２０に収納されている印画紙２１の幅サイズをキー入力部１７を用いて入力して、システムコントローラ１６が、この幅サイズに基づいて、モータを制御してマガジン台２６を回転させることにより、傾斜角度θ１を自動調節できるようにしても良い。また、マガジンケース５０にＩＤタグ等を設けることにより、システムコントローラ１６が、ＩＤタグから印画紙２１の幅サイズの情報を取得して、この幅サイズの情報に基づいて、モータを制御してマガジン台２６を回転させることにより、傾斜角度θ１を自動調節できるようにしても良い。
【００３４】
また、供給部１１の上部には、発光ダイオード等で構成された２つの表示ランプ６０，６１が設けられている。供給部１１は、マガジン２０が結合部２７または結合部２８のロック機構によりロックされた時に、システムコントローラ１６に信号を出力する。システムコントローラ１６は、供給部１１からこの信号を取得した時に、結合部２７または結合部２８に対応する表示ランプ６０または表示ランプ６１を制御して点灯させる。このため、オペレータは、マガジン２０のロック状態を視認することができる。また、システムコントローラ１６には、前述したように、スピーカ等で構成される警報器１９が接続されており、マガジン２０が結合部２７または結合部２８のロック機構にロックされていない状態でプリンタプロセッサ１０の運転を開始しようとした時に、警報器１９を制御して音声を出力させることによってオペレータに対して警告する。
【００３５】
このように、ロック状態を視認できるようにして、ロックされていない状態でプリンタプロセッサ１０の運転を開始しようとした時に警告するので、紙詰まり、かぶり等の発生を防止してペーパーロスを低減できる。
【００３６】
次に、上記構成のプリンタプロセッサ１０、及びマガジン２０の作用について、図４を用いて説明を行う。マガジン２０を供給部１１の結合部２７，２８に装着する際は、図４（Ａ）に示すように、オペレータが把持部５４を把持して、上方に持ち上げる。この時、把持部５４とマガジン２０の重心ＣＧは、鉛直線上に並ぶので、マガジンケース５０の当接面５１は、装着面５２が低くなるように傾く。この時、当接面５１がマガジン台２６の上面３０と略平行となる。また、装着面５２が結合部２７，２８の前面と略平行となる。
【００３７】
その後、図４（Ｂ）に示すように、マガジン２０は、マガジン台２６の上面３０の先端部、例えば通路３５ａの先端部にマガジン２０を載置する。この時、マガジンケース５０の当接面５１が、マガジン台２６の上面３０と略平行になっているので容易に載置することができる。また、通路３５ａの先端部に載置すれば良く、所定位置に位置決めする必要がないので、マガジン２０の位置を調節する手間を省くことができる。
【００３８】
マガジン台２６の通路３５ａの先端部に載置されたマガジン２０は、マガジン台２６の上面３０が傾斜しているので、マガジン２０の自重により下方側（結合部２７側）に向かってスライド移動する。また、複数のローラ３６によって摩擦力が低減されているので、結合部２７に向かって通路３５ａをスムースにスライド移動して、ガイド部材３２，３３にガイドされて結合部２７に移動する。なお、複数のローラ３６は、マガジン台２６の上面３０ではなく、マガジンケース５０の当接面５１から外周面が露出されるように配置しても良い。
【００３９】
マガジン２０が結合部２７に向かってスライド移動する際に、マガジン２０の側面がガイド部材３２，３３の側面に当接した場合でも、ガイド部材３２，３３に設けられた複数のローラ３６が回転することにより、通路３５ａの下方（結合部２７側）に向かってマガジン２０をスムースにガイドすることができる。その後、マガジン２０の装着面５２が、結合部２７の前面に当接して押圧することにより、シャッタが開放して、図４（Ｃ）に示すように、マガジン２０の前端部が結合部２７内に入り込む。この時、ロック機構３７によりマガジン２０がロックされて固定されることにより、装着が完了する。この時、システムコントローラ１６が、表示ランプ６０を制御して点灯させる。このため、マガジン２０が固定位置に装着されてロックされたことをオペレータが目視確認できる。
【００４０】
また、マガジン２０がロックされない状態でプリンタプロセッサ１０の運転が開始された場合は、システムコントローラ１６が、警報器１９を制御して音声を出力してオペレータに報知する。このため、紙詰まり、かぶり等が防止されて、ペーパーのロスを低減することができる。
【００４１】
上記作用の説明では、マガジン２０を結合部２７に装着する場合について説明を行ったが、結合部２８に装着する場合も、結合部２７に装着する場合と同様であるので、詳しい説明を省略する。
【００４２】
このように、マガジン２０が、マガジン台２６の上面３０上を結合部２７，２８に向かって自重でスライド移動して、マガジン２０が結合部２７，２８に入り込んで装着されるので装着作業が容易である。また、供給部１１には、スライドレール、移動台、アームレバー等の機構が不要となるので、製造コストを低減することができる。
【００４３】
また、マガジン台２６の先端部にマガジン２０を載置するだけでマガジン２０を結合部２７，２８に装着可能であり、マガジン２０をマガジン台２６に載置する時に、位置決め作業が必要ないので作業を簡略化できる。さらに、マガジン台２６の傾斜角度を調節して、マガジン２０が結合部２７，２８に装着される際の圧力を略一定に調節できるので、印画紙２１のサイズにより重量の異なる複数種類のマガジン２０を結合部２７，２８に確実に装着可能である。
【００４４】
なお、本実施形態においては、マガジン台に複数のローラを設けて、その外周面の一部がマガジン台の上面から露出されるように配置したが、これに限るものではなく、マガジンケースの当接面から外周面が露出されるようにローラを配置しても良い。この場合は、マガジン台の上面にローラを設けなくても良い。
【００４５】
なお、本実施形態においては、把持部を把持して上方に持ち上げた時にマガジンケースの当接面が傾くように構成したマガジンを用いて説明を行ったが、これに限るものではなく、通常のマガジンを使用しても、本発明の画像記録材料供給装置は実現可能である。この場合は、マガジンケースの装着面の傾斜角度に合わせて結合部を構成すれば良い。
【００４６】
また、本実施形態においては、同じ幅の画像記録材料を収納する２つのマガジンを横方向に並べて、結合部に装着されるように説明を行ったが、これに限るものではなく、異種幅の画像記録材料を収納するマガジンを同時に装着できるようにしても良いし、垂直方向にマガジン台を複数段配置して、より多くのマガジンを同時に装着できるようにしても良い。さらに、１個のマガジン台に対して２個のマガジンが装着されるように説明を行ったが、これに限るものではなく、１個のマガジン台に対して幅の広い画像記録材料を収納可能なマガジンを１個装着するようにしても良い。
【００４７】
さらに、本実施形態においては、長尺の画像記録材料をロール状に収納するマガジンについて説明したが、カットシートタイプの画像記録材料を積層して収納したマガジンの場合にも、本発明を適用可能である。
【００４８】
また、本実施形態においては、本発明を感光材料に画像を露光記録する写真プリンタに適用した場合について説明を行ったが、記録方式は特に限られることはなく、インクジェット記録方式、サーマル記録方式、その他の記録方式でも本発明を適用可能である。
【図面の簡単な説明】
【００４９】
【図１】プリンタプロセッサの構成を示す側面概略図である。
【図２】供給部の構成を示す外観斜視図である。
【図３】マガジンの構成を示す側面図である。
【図４】供給部及びマガジンの作用を示す説明図である。
【符号の説明】
【００５０】
１０  プリンタプロセッサ
１１  供給部
２０  マガジン
２１  印画紙
２６  マガジン台
２７，２８  結合部
３０  上面
３１  角度調節部材
３２，３３，３４  ガイド部材
３５ａ，３５ｂ  通路
３６  ローラ
３７  ロック機構
５０  マガジンケース
５１  当接面
５２  装着面
５３  上面
５４  把持部
Ｄ１  所定長
ＣＧ  重心
ＶＬ  垂線
ＣＰ  交点
【図１】
2005148397.tif 000003
【図２】
2005148397.tif 000004
【図３】
2005148397.tif 000005
【図４】
2005148397.tif 000006